(57)【要約】【課題】歩行運動をするだけで優れたエクササイズ効果、ダイエット効果が得られるようにする。【解決手段】履物は、底面が船底状に形成された靴底２を備える。靴底２は、上から順に積層される上部ミッドソール２０、下部ミッドソール２１、およびアウトソール２２を備え、中間層の下部ミッドソール２１はクッション性を有し、上部ミッドソール２０およびアウトソール２２はクッション性を有しない。また、履物は、靴底２の上に配置される中敷３を備える。中敷３は、上面に複数の突起３２が形成された指圧代用インソール３０と、踵側にエアクッション３３が設けられ、踵側が爪先側より厚くなるように形成されたエアクッションインソール３１とを備える。【選択図】図２
0003168694.tif 000002
【実用新案登録請求の範囲】
【請求項１】
使用者の足裏が当接する面に形成された複数の突起と、前記足裏を支持するための靴底とを備え、前記靴底の底面は船底状に形成されることを特徴とする履物。
【請求項２】
前記靴底は、上から順に積層される上部ミッドソール、下部ミッドソール、およびアウトソールを備え、前記下部ミッドソールはクッション性を有し、前記上部ミッドソールおよび前記アウトソールは、クッション性を有しないことを特徴とする請求項１に記載の履物。
【請求項３】
前記靴底の上に配置される中敷を備え、前記中敷は、上面に前記複数の突起が形成された指圧代用インソールと、踵側にエアクッションが設けられ、踵側が爪先側よりも厚くなるように形成されたエアクッションインソールとを備えることを特徴とする請求項１または請求項２に記載の履物。
【請求項４】
前記複数の突起は、前記靴底の上面に形成され、前記靴底は、前記足裏の爪先部から土踏まず部までを支持し、前記足裏の踵部を支持しない長さに形成されることを特徴とする請求項１に記載の履物。
【考案の詳細な説明】
【技術分野】
【０００１】
本考案は、歩行運動をするだけで優れたエクササイズ効果、ダイエット効果が得られる履物に関する。
【背景技術】
【０００２】
近年、健康への関心は高まっており、運動不足を解消するためにジョギング、ウォーキングに積極的に取り組む人や、ダイエットに取り組む人が増加している。しかしながら、健康への関心はあるけれども、トレーニング、ダイエットなどに取り組む時間を確保できない人もいる。このような人達は、普段の歩行運動で効率的に運動不足が解消でき、ダイエットができることを望んでいる。そのため、効率的に脂肪を燃焼できるように運動をサポートしたり、脹脛、太腿などの脚部や臀部を引き締めて、シェイプアップをサポートしたりするような履物の需要が高まっている。
【考案の概要】
【考案が解決しようとする課題】
【０００３】
そこで、本考案が解決しようする課題は、歩行運動をするだけで優れたエクササイズ効果、ダイエット効果が得られる履物を提供することにある。
【課題を解決するための手段】
【０００４】
上記課題を解決するために、本考案に係る履物は、使用者の足裏が当接する面に形成された複数の突起と、足裏を支持するための靴底とを備え、靴底の底面は船底状に形成されることを特徴とする。
【０００５】
好ましくは、靴底は、上から順に積層される上部ミッドソール、下部ミッドソール、およびアウトソールを備え、下部ミッドソールはクッション性を有し、上部ミッドソールおよびアウトソールは、クッション性を有さない。
【０００６】
好ましくは、靴底の上に配置される中敷を備え、中敷は、上面に上記の複数の突起が形成された指圧代用インソールと、踵側にエアクッションが設けられ、踵側が爪先側よりも厚くなるように形成されたエアクッションインソールとを備える。
【０００７】
また、好ましくは、上記の複数の突起は、靴底の上面に形成され、靴底は、足裏の爪先部から土踏まず部までを支持し、足裏の踵部を支持しない長さに形成される。
【考案の効果】
【０００８】
本考案では、使用者の足裏が当接する面に形成された複数の突起が足裏を刺激して、血行を促進し、ダイエット効果を与え、筋肉の疲れ、こりをほぐす。靴底の底面は船底状に形成されているため、踵側が地面から浮き、ヒールレスな構造となっており、バランスが取りにくくなっている。使用者は自然とバランスをとって姿勢を正そうとするため、普段使用していない筋肉が刺激される。また、靴底の底面が船底状に形成されていることで、踵側から地面に着地して爪先側で地面を蹴り出す、いわゆるローリング歩行をサポートする。このローリング歩行により歩幅が広がり、股関節を基点とした下肢の筋肉群が活性化することで、代謝が向上し、ダイエット効果が得られる。
【０００９】
請求項２に係る考案では、靴底が三層構造で構成され、中間層である下部ミッドソールがクッション性を有することにより、足元に不安定さを生み出す。これによって普段の歩行の際に使用していない筋肉が刺激され、脚部および臀部は引き締められ、シェイプアップする。また、筋肉使用量の増大が基礎代謝を高め、ダイエット効果が得られる。
【００１０】
請求項３に係る考案では、指圧代用インソールと、エアクッションインソールとからなる中敷を備える。指圧代用インソールは、その上面に上記の複数の突起が形成されており、血行を促進し、ダイエット効果を与え、筋肉の疲れ、こりほぐす指圧代用器になっている。エアクッションインソールは、踵側にエアクッションが設けられ、このエアクッションが、ローリング歩行において踵側から着地する際の衝撃を吸収する。また、エアクッションは、下部ミッドソール同様に、足元に不安定さを生み出すため、より一層足下が不安定になり、上記したシェイプアップ効果およびダイエット効果がさらに高まる。
【００１１】
さらに、エアクッションインソールは、爪先側より踵側が厚く構成されている。このエアクッションインソールの踵側の厚み、靴底の踵側が地面から浮いたヒールレスな構造、および靴底の三層構造による厚みによって、履くだけでヒールアップする構造となっている。これにより、使用者の脚部のラインを美しく、脚部を長く見せることができる。履物の中でもスポーツシューズ、スニーカーなどに適用すれば、従来のスポーツシューズ、スニーカーにはないファッション性が高く、普段着などにも合わせやすいものを提供できる。さらに、ヒールアップした構造によって、重心が爪先側に移動し、脚部および臀部の筋肉が刺激され、シェイプアップ効果が得られ、また背筋がのびて歩行姿勢が良くなる。
【００１２】
また、請求項４に係る考案では、靴底は踵を支持する部分が欠いた構造となっているため、使用者の踵は浮き、使用者の重心は爪先側に移動し、前傾して爪先立ちをしたような状態となり、脹脛、太腿の筋肉が刺激される。その結果、脹脛、太腿は引き締められて、シェイプアップされる。また、背筋が真っ直ぐになり、歩行姿勢も正される。
【００１３】
以上のように、本考案に係る履物は、履いて歩行運動をするだけで、上述の各効果が相俟って、高いエクササイズ効果、ダイエット効果、および代謝向上効果を使用者に与える。
【図面の簡単な説明】
【００１４】
【図１】本考案に係る履物の側面図である。
【図２】本考案に係る履物の分解斜視図である。
【図３】本考案に係る履物の使用状態を説明する図である。
【図４】本考案に係る履物の他の実施例を示す図であり、（ａ）は側面図、（ｂ）は平面図、（ｃ）はＡ−Ａ線断面図である。
【図５】本考案に係る履物の他の実施例の使用状態を示す図である。
【考案を実施するための形態】
【００１５】
[第１の実施例]
図１〜図３に基づいて、本考案に係る履物の第１の実施例を説明する。この実施例では履物はシューズである。図１に示す通り、シューズは、足の甲を覆うためのアッパー１と、足裏を支持するための靴底２とを備える。アッパー１は、足を収納するためのスペースが設けられるように靴底２に固着される。アッパー１は例えば合成皮革などからなる。
【００１６】
図１および図２に示す通り、靴底２は、上部ミッドソール２０と、下部ミッドソール２１と、アウトソール２２とを備え、これらのソール２０、２１、２２を上から順に積層し、重着した三層構造となっている。上部ミッドソール２０はアッパー１に固着され、アウトソール２２は地面Ｇに接触する。
【００１７】
上部ミッドソール２０およびアウトソール２２は、硬性を有し、クッション性を有しない。一方、中間層の下部ミッドソール２１は、軟性を有し、クッション性を有する。すなわち、靴底２は、クッション性を有しない上部ミッドソール２０およびアウトソール２２で、クッション性を有する下部ミッドソール２１を挟んだ構造となっている。上部ミッドソール２０および下部ミッドソール２１は、例えば、それぞれ硬度が異なるＥＶＡ（エチレンビニルアルコール）などからなる。アウトソール２２は、例えば合成ゴムまたはＥＶＡなどからなる。
【００１８】
このように、靴底２は、中間層の下部ミッドソール２１がクッション性を有することにより、足元に不安定さを生み出し、脹脛、太腿などの脚部や臀部における普段の歩行の際に使用することがない筋肉を刺激する。これにより各部位は引き締められ、脚部および臀部がシェイプアップする。また、筋肉使用量の増大が基礎代謝を高めるため、ダイエット効果が得られる。
【００１９】
靴底２の底面は、図１に示す通り、船底状に形成される。すなわち、靴底２の底面は、アウトソール２２の中央部が地面Ｇに接触した状態では、アウトソール２２の爪先側および踵側が地面Ｇから浮くようなラウンド形状をなす。シューズは、靴底２の踵側が地面Ｇに接触することなく地面Ｇから浮くことで、ヒールレスな構造となっているため、使用者がバランスを取りにくい構造となっている。これにより、使用者は自然とバランスを取って姿勢を正そうとするため、普段使用していない筋肉が刺激される。
【００２０】
また、靴底２は、図３に示す通り、使用者が靴底２（アウトソール２２）の踵側から地面Ｇに着地し（図３ａ）、そこから爪先側に向けて中央部を地面Ｇに接触させ（図３ｂ）、そして爪先側で地面Ｇを蹴り出すようにする（図３ｃ）、いわゆるローリング歩行がしやすいようにサポートする。シューズは、このように使用者が足裏全体を使った正しい歩行をスムーズにできるように促す。このローリング歩行により歩幅が広がり、股関節を基点とした下肢の筋肉群が活性化することで、代謝が向上し、ダイエット効果が得られる。
【００２１】
さらに、シューズは、図２に示す通り、アッパー１と靴底２との間に中敷３を備える。中敷３は、靴底２（上部ミッドソール２０）の上に配置される。中敷３は、使用者の足裏が当接する指圧代用インソール３０と、この指圧代用インソール３０の下側に配置されるエアクッションインソール３１とを備える。
【００２２】
指圧代用インソール３０の上面には、足裏を指圧して、刺激するための突起３２が複数形成される。複数の突起３２は、指圧代用インソール３０の上面のほぼ全体に渡って配列される。各突起３２の長さおよび太さは、足裏の形状に合わせ、配列される位置に応じて異なるように設計される。例えば、足裏の土踏まず部が当接する箇所では、突起３２の長さが長く、太さは太くなっている。複数の突起３２が足裏全体を刺激し、足裏の血行を促進してダイエット効果を与えるとともに、筋肉の疲れ、こりをほぐす。
【００２３】
エアクッションインソール３１は、爪先側から踵側にかけて次第に厚みが増すように形成される。すなわち、エアクッションインソール３１は踵側が爪先側より厚くなり、ヒールアップした形状となっている。シューズは、このエアクッションインソール３１の厚み、靴底２のヒールレスな構造、および靴底２の三層構造の厚みによって、履くだけでヒールアップする構造となっている。そのため、脚部のラインを美しく、脚部を長く見せることができ、ファッション性に優れる。また、このヒールアップした構造によって、使用者の重心が爪先側に移動し、歩行姿勢を良くするとともに、脚部および臀部の筋肉、腹筋を刺激して、各部位をシェイプアップする。
【００２４】
さらに、エアクッションインソール３１の踵側には、エアが内包されてエアクッション３３が設けられる。このエアクッション３３は、図３ａに示したように、踵側から地面Ｇへ着地する際の衝撃を吸収する。さらに、このエアクッション３３は、クッション性を有する下部ミッドソール２１と同様に、足元に不安定さを生み出す。これにより、足元がより一層不安定になり、脹脛、太腿などの筋肉がさらに刺激される。すなわち、シューズは、下部ミッドソール２１のクッション性およびエアクッションインソール３１のエアクッション３３によって、脚部および臀部の高いシェイプアップ効果およびダイエット効果を使用者に与える。
【００２５】
指圧代用インソール３０は、例えばＴＰＲ（熱可塑性ゴム）などからなる。エアクッションインソール３１は例えばＥＶＡなどからなり、エアクッション３３は例えばポリウレタンなどからなる。
【００２６】
[第２の実施例]
さらに、図４、図５に基づいて、本考案に係る履物の第２の実施例について説明する。この実施例では、履物はサンダルである。サンダルは、図４ａに示す通り、使用者の足６（図５）の甲を覆うための甲被カバー４と、使用者の足裏を支持するための靴底５とを備える。甲被カバー４および靴底５は、例えば発泡ウレタンなどからなる。
【００２７】
甲被カバー４には、足６がサンダルから脱げるのを防止するための略円弧状のバンド４０を備える。バンド４０は、その両端がそれぞれ留め具４１によって甲被カバー４に取り付けられており、図４ａの２点鎖線で示す通り、留め具４１を回転軸としてサンダルの後端側に向かって回動可能である。バンド４０をサンダルの後端側に回動してサンダルを履けば、足６の踵側がバンド４０に係止されるので、足６がサンダルから脱げにくくなる。なお、図５に示す通り、バンド４０を後端側に回動せずに、そのままサンダルを履いてもよい。
【００２８】
サンダルは、第１の実施例で示したような中敷３を有さず、図４ｂに示す靴底５の上面５０が使用者の足裏に当接する。そして、この上面５０には、図４ｂおよび図４ｃに示す通り、足裏を刺激するために、緩やかな円錐形状の凸部（突起）５０ａと凹部５０ｂが複数形成される。凸部５０ａと凹部５０ｂとは、サンダルに対する前後方向および左右方向に交互に配置される。すなわち、凸部５０ａおよび凹部５０ｂは、靴底５の上面５０に市松状に形成される。使用者がサンダルを履いて歩行運動をしたときに、靴底５の上面５０の凸凹形状が、足裏を刺激し、足裏の血行を促進してダイエット効果を与えるとともに、筋肉の疲れ、こりをほぐす。
【００２９】
靴底５は、図５ｂに示す通り、使用者がサンダルを履いた時に、足裏の爪先部から土踏まず部までを支持するが、足裏の踵部６０を支持しない長さに形成されている。すなわち、靴底５は踵部分を欠いた構造となっている。
【００３０】
これによって、サンダルを履いた時に、使用者の踵部６０は浮き、使用者の重心は自然と爪先側に移動し、前傾して爪先立ちをしたような状態となるため、脹脛、太腿の筋肉が刺激される。その結果、脹脛、太腿は引き締められて、シェイプアップされる。また、背筋が真っ直ぐになり歩行姿勢も正される。
【００３１】
靴底５の底面５１は、図４ａおよび図５に示す通り、船底状に形成されている。すなわち、底面５１の中央部が地面Ｇに接触した状態では、底面５１の先端側および後端側が地面Ｇから浮くようなラウンド形状となっている。すなわち、靴底５は、第１の実施例と同様に、底面５１の後端側から地面Ｇに着地して（図５ｃ）、先端側で地面Ｇを蹴り出すようにする（図５ａ）、ローリング歩行をサポートするため、代謝が向上し、ダイエット効果が得られる。
【００３２】
なお、サンダルは、室内履き、外履きのどちらにも使用することができる。
【００３３】
なお、本考案に係る履物は、上記の実施例に示したシューズ、サンダルに限らず、スリッパ、ブーツ、パンプスなど他の履物であってもよい。
【００３４】
以上のように、本考案に係る履物は、履いて歩行運動をするだけで、上述の各効果が相俟って、高いエクササイズ効果、ダイエット効果、および代謝向上効果を使用者に与える。
【符号の説明】
【００３５】
［第１の実施例］
１  アッパー
２  靴底
２０  上部ミッドソール
２１  下部ミッドソール
２２  アウトソール
３  中敷
３０  指圧代用インソール
３１  エアクッションインソール
３２  突起
３３  エアクッション
Ｇ  地面
［第２の実施例］
４  甲被カバー
４０  バンド
４１  留め具
５  靴底
５０  靴底の上面
５０ａ  凸部（突起）
５０ｂ  凹部
５１  靴底の底面
６  足
６０  足裏の踵部
Ｇ  地面
【図１】
0003168694.tif 000003
【図２】
0003168694.tif 000004
【図３】
0003168694.tif 000005
【図４】
0003168694.tif 000006
【図５】
0003168694.tif 000007